(57)【要約】      （修正有）【課題】ペダルの中部にペダルとラックを接続して作動過程中の負荷を均一にさせ、ロックしにくいペダル式モップ脱水清浄装置を提供する。【解決手段】台座、ペダル及びラックを備え、前記台座の両側にホルダーが設置され、前記両ホルダーの間にペダルがヒンジ連結され、前記ペダルの後側の真下方に接続棒が設置され、前記ラックの一端にバンプが設置され、前記ペダルとラックは接続棒を介してバンプに接続され、前記ラックは台座の中部に設置され、脱水機アセンブリーと洗濯攪動盤アセンブリーを駆動させる。ペダルと接続された時も、ラックはペダル中部に接続し、踏む時には負荷を均一にさせロックしにくい。【選択図】図１
0003184127.tif 000002
【実用新案登録請求の範囲】
【請求項１】
台座、ペダル及びラックを備えるペダル式モップ脱水清浄装置であって、前記台座の両側にホルダーが設置されており、前記両ホルダーの間にペダルがヒンジ連結されており、前記ペダルの後側の真下方に接続棒が設置されており、前記ラックの一端にバンプが設置されており、前記ペダルとラックは接続棒を介してバンプに接続され、前記ラックが台座の中部に設置され、前記ラックは脱水機アセンブリーと洗濯攪動盤アセンブリーを駆動させることを特徴とするペダル式モップ脱水清浄装置。
【請求項２】
前記台座底部にはカバープレートが設置されており、前記カバープレート上にはシュートが設置されており、前記ラックはシュート内に設置されていることを特徴とする請求項１に記載のペダル式モップ脱水清浄装置。
【請求項３】
前記バンプに長穴が設置されており、前記ラックは長穴を介してペダルに接続されることを特徴とする請求項１に記載のペダル式モップ脱水清浄装置。
【請求項４】
前記ホルダーと台座とが一体構造であることを特徴とする請求項１に記載のペダル式モップ脱水清浄装置。
【請求項５】
前記脱水機アセンブリーの下端が脱水機駆動軸に接続され、前記脱水機駆動軸の下端が脱水歯車アセンブリーに接続されることを特徴とする請求項１に記載のペダル式モップ脱水清浄装置。
【請求項６】
前記洗濯攪動盤アセンブリーの下端が攪動盤駆動軸に接続され、前記攪動盤駆動軸の下端が洗濯歯車アセンブリーに接続されることを特徴とする請求項１に記載のペダル式モップ脱水清浄装置。
【請求項７】
前記脱水歯車アセンブリーは加速歯車組であり、脱水歯車アセンブリー中の脱水機駆動軸に接続される歯車はワンウェイ歯車であることを特徴とする請求項５に記載のペダル式モップ脱水清浄装置。
【請求項８】
前記洗濯歯車アセンブリーは加速歯車組であり、洗濯歯車アセンブリー中の攪動盤駆動軸に接続される歯車はワンウェイ歯車であることを特徴とする請求項６に記載のペダル式モップ脱水清浄装置。
【請求項９】
前記ラックは第１のラックと第２のラックを含み、前記第１のラックと第２のラックは接続部材を介して接続され、前記第１のラックが脱水歯車アセンブリーと噛み合い、第２のラックが洗濯歯車アセンブリーと噛み合うことを特徴とする請求項１に記載のペダル式モップ脱水清浄装置。
【請求項１０】
前記台座上のホルダー近くにバッフルが設置されており、前記ペダルとホルダーがヒンジ連結される軸上にリターントーションスプリングが設置されることを特徴とする請求項１に記載のペダル式モップ脱水清浄装置。
【考案の詳細な説明】
【技術分野】
【０００１】
本考案は、クリーニング用具に関し、特に、ペダル式モップ脱水清浄装置に関する。
【背景技術】
【０００２】
モップは、人々が良く使用するクリーニング工具であり、使用の過程中、通常、モップを水でぬれさせる必要があり、半乾半湿の状態にし、この状態でのモップのクリーニング効果は、通常は一番に良く、且つ床の表面に水の跡を残すことはないが、モップの動作の箇所は通常汚く、モップを洗浄する過程において、手でモップヘッドに接触することは不衛生である。また、モップを半乾半湿の状態にするには大きな力を入れる必要がある。従って、人々は、モップヘッドを水中で回転させて洗浄し、脱水機に高速に回転して脱水することを考え付いている。この考え方は、通常二種類の構造で実現することができ、一つは、モップヘッドの回転によって洗濯盤と脱水機を動かして回転させ洗浄し脱水し、もう一つは、洗濯盤と脱水機によってモップヘッドを動かして回転させ、このようにして同じ効果を得ることもできる。二番目の方法において、現在、通常採用している構造は、バケツの底部にラックを取り付け、ラックの直線運動により洗濯盤と脱水機に接続される伝導歯車を動かして回転させ、洗濯し脱水し、ラックの運動は、通常ペダルを踏むことにより実現され、例えば公開番号ＣＮ２０１６５８３４５Ｕの特許で出願されたモップ洗浄脱水構造は、ペダルを取り付ける時、脱水機と洗濯攪動盤がバケツの中間位置にあることを保証するために、ラックの位置がバケツ底部の一側に設置され、これに対応するペダルとラックとの接続位置もペダルの一側にあり、このような設置において、ペダルを踏む時、負荷の不均一でロックした状態をもたらしやすい。
【先行技術文献】
【非特許文献】
【０００３】
【非特許文献１】中国実用新案登録公開番号ＣＮ２０１６５８３４５Ｕ
【考案の開示】
【考案が解決しようとする課題】
【０００４】
本考案が解決しようとする技術問題は、ペダルの中部にペダルとラックを接続して作動過程中の負荷を均一にさせ、ロックしにくいことである。
【課題を解決するための手段】
【０００５】
この目的を達成するために、本考案は以下の技術案を採用する。
【０００６】
ペダル式モップ脱水清浄装置は、台座、ペダル及びラックを備え、前記台座の両側にホルダーが設置されており、前記両ホルダーの間にペダルがヒンジ連結されており、前記ペダルの後側の真下方に接続棒が設置されており、前記ラックの一端にバンプが設置されており、前記ペダルとラックとが接続棒を介してバンプに接続され、前記ラックが台座の中部に設置され、前記ラックは脱水機アセンブリーと洗濯攪動盤アセンブリーを駆動させる。
【０００７】
さらに、前記台座底部にはカバープレートが設置されており、前記カバープレート上にはシュートが設置されており、前記ラックはシュート内に設置されている。
【０００８】
さらに、前記バンプに長穴が設置されており、前記ラックは長穴を介してペダルに接続される。
【０００９】
さらに、前記ホルダーと台座とが一体構造である。
【００１０】
さらに、前記脱水機アセンブリーの下端が脱水機駆動軸に接続され、前記脱水機駆動軸の下端が脱水歯車アセンブリーに接続される。
【００１１】
さらに、前記洗濯攪動盤アセンブリーの下端が攪動盤駆動軸に接続され、前記攪動盤駆動軸の下端が洗濯歯車アセンブリーに接続される。
【００１２】
さらに、前記脱水歯車アセンブリーは加速歯車組であり、脱水歯車アセンブリー中の脱水機駆動軸に接続される歯車とは、ワンウェイ歯車である。
【００１３】
さらに、前記洗濯歯車アセンブリーは加速歯車組であり、洗濯歯車アセンブリー中の攪動盤駆動軸に接続される歯車とは、ワンウェイ歯車である。
【００１４】
さらに、前記ラックは第１のラックと第２のラックを含み、前記第１のラックと第２のラックは接続部材を介して接続され、前記第１のラックが脱水歯車アセンブリーと噛み合い、第２のラックが洗濯歯車アセンブリーと噛み合う。
【００１５】
さらに、前記台座上のホルダー近くにバッフルが設置されており、前記ペダルとホルダーとがヒンジ連結される軸上にリターントーションスプリングが設置される。
【考案の効果】
【００１６】
本考案によれば、ラックが台座の中部に位置され、ペダルと接続する際も同様にペダル中部に接続し、踏む時には負荷を均一にさせ、ロックしにくく、加速歯車組を設置することによって、洗浄、脱水する際の脱水機と洗濯攪動盤の回転数を高めて、より確実に洗浄し脱水することができ、ワンウェイ歯車を設置して、脱水機と洗濯攪動盤を単一方向に回転させ、さらにリターンスプリングを設置し、ラック自身がリターンするのに便利である。
【図面の簡単な説明】
【００１７】
以下、図面及び実施例を参照して本考案を更に詳しく説明する。
【図１】ペダル式モップ脱水清浄装置の構造模式図である。
【図２】ラックの構造模式図である。
【図３】台座とペダルの取付構造模式図である。
【図４】台座の構造模式図である。
【図５】ラックとペダルの接続関係模式図である。
【図６】ラックとペダル、台座の組立関係の模式図である。
【図７】ペダル式モップ脱水清浄装置の分解図である。
【図８】底板の模式図である。
【図９】ペダル式モップ脱水清浄装置のバケツ中での取付位置の模式図である。
【考案を実施するための形態】
【００１８】
以下、図面を参照して具体的な実施形態を通じて本考案の技術案をさらに説明する。
【００１９】
図１〜９に示すように、本実施例において、本考案によるペダル式モップ脱水清浄装置は、台座１、ペダル３及びラックを備え、前記台座１の両側にホルダー２が設置され、前記両ホルダー２の間にペダル３がヒンジ連結され、前記ペダル３の後側の真下方に接続棒８が設置され、前記ラックの一端にバンプ５が設置され、前記ペダル３とラックは接続棒８によってバンプ５に接続され、前記ラックは台座１中部に設置され、前記ラックは脱水機アセンブリー１３と洗濯攪動盤アセンブリー１４を駆動し、前記台座１底部にはカバープレート９が設置され、前記カバープレート９上にはシュート１０が設置され、前記ラックはシュート１０内に設置され、前記バンプ５に長穴７が設置され、前記ラックは長穴７によってペダル３に接続され、前記ホルダー２と台座１は一体構造であり、前記脱水機アセンブリー１３の下端は脱水機駆動軸１１に接続され、前記脱水機駆動軸１１の下端は脱水歯車アセンブリー１６に接続され、前記洗濯攪動盤アセンブリー１４の下端は攪動盤駆動軸１２に接続され、前記攪動盤駆動軸１２の下端は洗濯歯車アセンブリー１５に接続され、前記脱水歯車アセンブリー１６は加速歯車組であり、脱水歯車アセンブリー１６中の脱水機駆動軸１１に接続される歯車はワンウェイ歯車１７であり、前記洗濯歯車アセンブリー１５は加速歯車組であり、洗濯歯車アセンブリー１５中の攪動盤駆動軸１２に接続される歯車はワンウェイ歯車１７であり、前記ラックは第１のラック４と第２のラック６を含み、前記第１のラック４と第２のラック６は接続部材により接続され、前記第１のラック４が脱水歯車アセンブリー１６と噛み合い、第２のラック６が洗濯歯車アセンブリー１５と噛み合い、前記台座１上のホルダー２近くにバッフル１８が設置され、前記ペダル３とホルダー２がヒンジ連結される軸上にリターントーションスプリング１９が設置される。
【００２０】
作動するとき、バケツに水を入れて、モップをバケツ中に入れて洗濯し、攪動盤アセンブリー１４が所在するキャビティにおいて、ペダル３を踏み、ペダル３は接続棒８を介してラックを動かしてカバープレート９におけるシュート１０に沿って移動させ、第２のラック６はその一側に設置された洗濯歯車アセンブリー１５を動かして移動させ、洗濯歯車アセンブリー１５の出力端には攪動盤駆動軸１２が接続され、前記攪動盤駆動軸１２と洗濯歯車アセンブリー１５の接続箇所はワンウェイ歯車１７であり、ペダル３を踏む時、洗濯攪動盤アセンブリー１４は洗濯歯車アセンブリー１５に動かされて加速回転しモップを洗浄し、ペダル３を踏むのを緩めた時、ラックはリターンスプリング１９の作用力でリターンし、この時、洗濯歯車アセンブリー１５は反転するが、ワンウェイ歯車１７が設置されているので、攪動盤駆動軸１２は洗濯歯車アセンブリー１５とともに反転せず、洗濯攪動盤アセンブリー１４は慣性の作用下でもとの回転を継続し、繰り返してペダル３を踏み、絶え間なく洗濯攪動盤アセンブリー１４に動力を提供してモップを洗濯する。
【００２１】
同様に脱水する時、モップを脱水機アセンブリー１３中に入れてペダル３を踏み、ペダル３は第１のラック４を動かして運動させ、第１のラック４はその一側の脱水歯車アセンブリー１６を動かして回転させ、脱水歯車アセンブリー１６の出力端には脱水機駆動軸１１が接続され、前記脱水機駆動軸１１は脱水機アセンブリー１３に接続され、前記脱水歯車アセンブリー１３と脱水機駆動軸１１の接続箇所はワンウェイ歯車１７であり、ペダル３を踏む時、脱水機アセンブリー１３は高速回転してモップの脱水し、ペダル３を踏むのを緩め、ラックはリターントーションスプリング１９の作用でリターンし、ワンウェイ歯車１７が設置されているので、脱水機アセンブリー１３は反転せず、従って、高速回転を保持してモップの脱水を実現する。
【符号の説明】
【００２２】
１、台座、２、ホルダー、３、ペダル、４、第１のラック、５、バンプ、６、第２のラック、７、長穴、８、接続棒、９、カバープレート、１０、シュート、１１、脱水機駆動軸、１２、攪動盤駆動軸、１３、脱水機アセンブリー、１４、洗濯攪動盤アセンブリー、１５、洗濯歯車アセンブリー、１６、脱水歯車アセンブリー、１７、ワンウェイ歯車、１８、バッフル、１９、リターントーションスプリング。
【図１】
0003184127.tif 000003
【図２】
0003184127.tif 000004
【図３】
0003184127.tif 000005
【図４】
0003184127.tif 000006
【図５】
0003184127.tif 000007
【図６】
0003184127.tif 000008
【図７】
0003184127.tif 000009
【図８】
0003184127.tif 000010
【図９】
0003184127.tif 000011